(57)【要約】【課題】               従来のこの種装置の問題点は、開位置又は閉位置にカーテンを停止させるためのスイッチ端子が当接するカム部材が、カム面より細い計測軸にネジ止め固定して設定するため、ネジ止め固定する作業中に計測軸に対してカム部材が動いてしまい、正確に固定するのが困難な点にある。【解決手段】           カーテン停止スイッチ４１の作動により駆動モーターへの供電を停止し、カーテンを設定した開位置又は閉位置に停止させる開閉位置制御装置において、前記カーテン停止スイッチ４１をカム部材３６の周囲に位置決め調整可能に設けてなる温室等のカーテン開閉位置制御装置。【選択図】              図１０
2005168415.tif 000002
【特許請求の範囲】
【請求項１】
カーテン駆動軸の回転を減速機構を介して計測軸に回転伝達し、計測軸にカーテン停止スイッチ用のカム部を有するカム部材を設け、カム部に当接するばね弾力を付与したスイッチ端子を有するカーテン停止スイッチをカム部材の近傍に設置し、カーテン停止スイッチをカーテン駆動モーターの電源回路に組み込んで、カーテン停止スイッチの作動により駆動モーターへの供電を停止し、カーテンを設定した開位置又は閉位置に停止させる開閉位置制御装置において、前記カーテン停止スイッチをカム部材の周囲に位置決め調整可能に設けてなる温室等のカーテン開閉位置制御装置。
【請求項２】
請求項１に記載の温室等のカーテン開閉位置制御装置において、カム部材に対してカーテン停止スイッチを固定したスイッチ取付板を位置決め調整可能に設けてなる温室等のカーテン開閉位置制御装置。
【請求項３】
請求項２に記載の温室等のカーテン開閉位置制御装置において、計測軸を中心にスイッチ取付板を位置決め調整可能に設けてなる温室等のカーテン開閉位置制御装置。
【請求項４】
請求項２又は３に記載の温室等のカーテン開閉位置制御装置において、スイッチ取付板に一体に操作片部を設け、操作片部を固定フレームに対して位置決め調整可能に設けてなる温室等のカーテン開閉位置制御装置。
【請求項５】
請求項４に記載の温室等のカーテン開閉位置制御装置において、操作片部を固定フレームに対して位置決め調整可能に固定する固定操作部材を操作片部と連動可能に設けてなる温室等のカーテン開閉位置制御装置。
【請求項６】
請求項５に記載の温室等のカーテン開閉位置制御装置において、ボルトナット式の固定操作部材が固定フレームのガイド孔に嵌合して操作片部を固定フレームにボルトナット式に挟持して固定して位置決め調整自在に設けてなる温室等のカーテン開閉位置制御装置。
【請求項７】
請求項５又は６に記載の温室等のカーテン開閉位置制御装置において、固定操作部材にネジ軸を回転可能に設け、ネジ軸を固定フレームに対して回転して固定操作部材を位置決め調整可能に設けてなる温室等のカーテン開閉位置制御装置。
【請求項８】
請求項７に記載の温室等のカーテン開閉位置制御装置において、固定操作部材と固定フレームとの間のネジ軸の周囲に拡張弾力を付与したバネ部材を設けてなる温室等のカーテン開閉位置制御装置。
【請求項９】
請求項１乃至８のいずれかに記載の温室等のカーテン開閉制御装置において、カーテン停止スイッチにスイッチ設定モニター素子を接続可能に設けてなる温室等のカーテン開閉位置制御装置。
【請求項１０】
請求項１乃至９のいずれかに記載の温室等のカーテン開閉制御装置において、一軸からなる計測軸に開位置用と閉位置用の両方のカム部材を設けてなる温室等のカーテン開閉位置制御装置。
【請求項１１】
請求項１０に記載の温室等のカーテン開閉制御装置において、開位置用と閉位置用の両方のカム部を有するカム部材を設けてなる温室等のカーテン開閉位置制御装置。
【請求項１２】
請求項１乃至１１のいずれかに記載の温室等のカーテン開閉制御装置において、開位置又は閉位置に固定したカム部材のカム部に対し、カーテン停止スイッチのスイッチ端子をスイッチの作動を継続したまま移動調整し、スイッチの作動が停止した直後の位置でカーテン停止スイッチを固定フレームに固定してなる温室等のカーテン開閉位置制御装置。
【発明の詳細な説明】
【技術分野】
【０００１】
本発明は、温室等のカーテン開閉位置制御装置に関する。
【背景技術】
【０００２】
従来、カーテン駆動軸の回転を減速機構を介して中間計測軸に回転伝達すると共に、中間計測軸の回転を更に減速機構を介し最終計測軸に回転伝達し、中間計測軸及び最終計測軸にそれぞれカム部材を設け、それぞれのカム部材のカム部に当接して作動するマイクロスイッチを設け、前記マイクロスイッチを駆動モーターの電源回路中に並列に組み込み、各マイクロスイッチが同時に作動することによって駆動モーターへの供電を停止し、温室等のカーテンを設定した開位置又は閉位置に停止させる開閉位置制御装置は知られている（特許文献１参照。）。
【特許文献１】特開２００２−１０１７６８号公報
【発明の開示】
【発明が解決しようとする課題】
【０００３】
しかし、従来のこの種装置の問題点は、開位置又は閉位置にカーテンを停止させるための設定手段が、計測軸に回転自在に嵌合するカム部材のカム部にマイクロスイッチのばね弾力を付与したスイッチ端子が当接してスイッチを作動させカーテンを停止させる位置において、カム部材をカム面より細い計測軸にネジ止め固定して設定するため、ネジ止め固定する作業中に計測軸に対してカム部材が動いてしまい、正確に固定するのが困難な点にある。
【０００４】
例えば、カーテン開閉駆動軸が３６０回転すると、中間計測軸が３０回転し、最終計測軸が３６０&deg;回転する場合に、最終計測軸に１&deg;の誤差が生じると、中間計測軸は３０&deg;の回転誤差が生じ、駆動軸は１回転の誤差となり、駆動軸の１回転によりカーテン開閉駆動ワイヤを２０ｃｍ移動するとすれば、カーテンの開閉位置は２０ｃｍの誤差が生じて、カーテンが設定通りに閉まらない又は開かない原因となる。
【０００５】
そのため、正確な停止位置を求めて農家の温室カーテン設置作業現場等において、プラスチック製からなる計測軸にプラスチック製からなるカム部材を止めネジで固定する作業を繰り返す場合には、締めすぎ等の課題もあって、止めネジと計測軸やカム部材の間に緩みが生じて、何度やっても正確に固定できない場合があった。
これを回避するために、カーテン駆動軸の減速機構の減速比を大きくして計測軸の回転数を小さくすると、カム面の回転角度も小さくなり、カム部材をそれだけ大きくしないとカム部とマイククロスイッチとの同じ接触精度が得られない課題が生じる。
【０００６】
また、計測軸とカム部材との固定設定精度を上げるため、カム面とほぼ同一又はそれ以上の径の大きさの、例えば、フランジ状の取付固定部を計測軸に一体に設けて、その取付固定部にカム部材を任意に固定設定する複雑で大型の固定設定手段を設けることも考えられるが、装置自体が高価で大型化する課題がある。
【課題を解決するための手段】
【０００７】
そこで本発明は、請求項１に記載のように、カーテン駆動軸の回転を減速機構を介して計測軸に回転伝達し、計測軸にカーテン停止スイッチ用のカム部を有するカム部材を設け、カム部に当接するばね弾力を付与したスイッチ端子を有するカーテン停止スイッチをカム部材の近傍に設置し、カーテン停止スイッチをカーテン駆動モーターの電源回路に組み込んで、カーテン停止スイッチの作動により駆動モーターへの供電を停止し、カーテンを設定した開位置又は閉位置に停止させる開閉位置制御装置において、前記カーテン停止スイッチをカム部材の周囲に位置決め調整可能に設けてなる温室等のカーテン開閉位置制御装置を提供するものである。
【０００８】
また、本発明は、請求項２に記載のように、請求項１に記載の温室等のカーテン開閉位置制御装置において、カム部材に対してカーテン停止スイッチを固定したスイッチ取付板を位置決め調整可能に設けてなる温室等のカーテン開閉位置制御装置を提供するものである。
【０００９】
また、本発明は、請求項３に記載のように、請求項２に記載の温室等のカーテン開閉位置制御装置において、計測軸を中心にスイッチ取付板を位置決め調整可能に設けてなる温室等のカーテン開閉位置制御装置を提供するものである。
【００１０】
また、本発明は、請求項４に記載のように、請求項２又は３に記載の温室等のカーテン開閉位置制御装置において、スイッチ取付板に一体に操作片部を設け、操作片部を固定フレームに対して位置決め調整可能に設けてなる温室等のカーテン開閉位置制御装置を提供するものである。
【００１１】
また、本発明は、請求項５に記載のように、請求項４に記載の温室等のカーテン開閉位置制御装置において、操作片部を固定フレームに対して位置決め調整可能に固定する固定操作部材を操作片部と連動可能に設けてなる温室等のカーテン開閉位置制御装置を提供するものである。
【００１２】
また、本発明は、請求項６に記載のように、請求項５に記載の温室等のカーテン開閉位置制御装置において、ボルトナット式の固定操作部材が固定フレームのガイド孔に嵌合して操作片部を固定フレームにボルトナット式に挟持して固定して位置決め調整自在に設けてなる温室等のカーテン開閉位置制御装置を提供するものである。
【００１３】
また、本発明は、請求項７に記載のように、請求項５又は６に記載の温室等のカーテン開閉位置制御装置において、固定操作部材にネジ軸を回転可能に設け、ネジ軸を固定フレームに対して回転して固定操作部材を位置決め調整可能に設けてなる温室等のカーテン開閉位置制御装置を提供するものである。
【００１４】
また、本発明は、請求項８に記載のように、請求項７に記載の温室等のカーテン開閉位置制御装置において、固定操作部材と固定フレームとの間のネジ軸の周囲に拡張弾力を付与したバネ部材を設けてなる温室等のカーテン開閉位置制御装置を提供するものである。
【００１５】
また、本発明は、請求項９に記載のように、請求項１乃至８のいずれかに記載の温室等のカーテン開閉制御装置において、カーテン停止スイッチにスイッチ設定モニター素子を接続可能に設けてなる温室等のカーテン開閉位置制御装置を提供するものである。
【００１６】
また、本発明は、請求項１０に記載のように、請求項１乃至９のいずれかに記載の温室等のカーテン開閉制御装置において、一軸からなる計測軸に開位置用と閉位置用の両方のカム部材を設けてなる温室等のカーテン開閉位置制御装置を提供するものである。
【００１７】
また、本発明は、請求項１１に記載のように、請求項１０に記載の温室等のカーテン開閉制御装置において、開位置用と閉位置用の両方のカム部を有するカム部材を設けてなる温室等のカーテン開閉位置制御装置を提供するものである。
【００１８】
また、本発明は、請求項１２に記載のように、請求項１乃至１１のいずれかに記載の温室等のカーテン開閉制御装置において、開位置又は閉位置に固定したカム部材のカム部に対し、カーテン停止スイッチのスイッチ端子をスイッチの作動を継続したまま移動調整し、スイッチの作動が停止した直後の位置でカーテン停止スイッチを固定フレームに固定してなる温室等のカーテン開閉位置制御装置を提供するものである。
【発明の効果】
【００１９】
本発明に係る温室等のカーテン開閉位置制御装置によれば、特許請求の範囲の請求項１に記載のように、カーテン駆動軸の回転を減速機構を介して計測軸に回転伝達し、計測軸にカーテン停止スイッチ用のカム部を有するカム部材を設け、カム部に当接するばね弾力を付与したスイッチ端子を有するカーテン停止スイッチをカム部材の近傍に設置し、カーテン停止スイッチをカーテン駆動モーターの電源回路に組み込んで、カーテン停止スイッチの作動により駆動モーターへの供電を停止し、カーテンを設定した開位置又は閉位置に停止させる開閉位置制御装置において、前記カーテン停止スイッチをカム部材の周囲に位置決め調整可能に設けてなる構成を有することにより、従来、丸くて細い計測軸にカム部材を微細に回転位置決め調整してそのカム部をスイッチ停止作動位置にくるように苦労して固定し設定していたのに対して、計測軸に固定したカム部材に対してその周囲においてカーテン停止スイッチを位置決め調整可能に設けてなるから、計測軸とカム部材との間に固定や調整が不要になり、その固定作業がなくなり、且つ、カム部材の固定に緩みが生じる恐れがなくなり、計測軸に固定したカム部材の周囲の広い設定範囲で正確、容易、且つ迅速にカーテン停止スイッチを位置決め調整することができる効果がある。
【００２０】
また、本発明は、請求項２に記載のように、請求項１に記載の温室等のカーテン開閉位置制御装置において、カム部材に対してカーテン停止スイッチを固定したスイッチ取付板を位置決め調整可能に設けてなる構成を有することにより、スイッチ取付板を介してカーテン停止スイッチをカム部材に対して容易、且つ、確実、迅速に位置決め調整することができる効果がある。
【００２１】
また、本発明は、請求項３に記載のように、請求項２に記載の温室等のカーテン開閉位置制御装置において、計測軸を中心にスイッチ取付板を位置決め調整可能に設けてなる構成を有することにより、スイッチ取付板を計測軸又はその軸受部に回転調整可能に設けてカーテン停止スイッチをカム部材に対して容易、且つ、確実、迅速に位置決め調整することができる効果がある。
【００２２】
また、本発明は、請求項４に記載のように、請求項２又は３に記載の温室等のカーテン開閉位置制御装置において、スイッチ取付板に一体に操作片部を設け、操作片部を固定フレームに対して位置決め調整可能に設けてなる構成を有することにより、操作片部を介してスイッチ取付板を固定フレームに対して容易且つ確実に位置決め調整することができる効果がある。
【００２３】
また、本発明は、請求項５に記載のように、請求項４に記載の温室等のカーテン開閉位置制御装置において、操作片部を固定フレームに対して位置決め調整可能に固定する固定操作部材を操作片部と連動可能に設けてなる構成を有することにより、スイッチ取付板の操作片部と連動する固定操作部材により、容易且つ確実にスイッチ取付板を位置決め調整して固定することができる効果がある。
【００２４】
また、本発明は、請求項６に記載のように、請求項５に記載の温室等のカーテン開閉位置制御装置において、ボルトナット式の固定操作部材が固定フレームのガイド孔に嵌合して操作片部を固定フレームにボルトナット式に挟持して固定して位置決め調整自在に設けてなる構成を有することにより、スイッチ取付板の操作片部と連動するボルトナット式の固定操作部材によってスイッチ取付板を容易且つ確実に位置決め調整して固定することができる効果がある。
【００２５】
また、本発明は、請求項７に記載のように、請求項５又は６に記載の温室等のカーテン開閉位置制御装置において、固定操作部材にネジ軸を回転可能に設け、ネジ軸を固定フレームに対して回転して固定操作部材を位置決め調整可能に設けてなる構成を有することにより、固定操作部材に回転可能に設けたネジ軸を固定フレーム側に螺合するか、又は、固定操作部材に螺合したネジ軸を回転することによって、固定フレームに対して固定操作部材を容易且つ確実に位置決め調整し固定することができる効果がある。
【００２６】
また、本発明は、請求項８に記載のように、請求項７に記載の温室等のカーテン開閉位置制御装置において、固定操作部材と固定フレームとの間のネジ軸の周囲に拡張弾力を付与したバネ部材を設けてなる構成を有することにより、固定操作部材と固定フレームとの間のネジ軸の周囲に設けた拡張弾力を付与したバネ部材によって、固定操作部材と固定フレームとの間の緩みを防止することができる効果がある。
【００２７】
また、本発明は、請求項９に記載のように、請求項１乃至８のいずれかに記載の温室等のカーテン開閉制御装置において、カーテン停止スイッチにスイッチ設定モニター素子を接続可能に設けてなる構成を有することにより、カーテン停止スイッチの設定作業中に、発光ダイオードランプ、バイブレータ又は音等からなるスイッチ設定モニター素子が作動することによって、カーテンの適性な開又は閉位置においてスイッチが作動した位置を正確に且つ容易に知ることができる一方、設定後はモニター素子を取り外して次の他の設定作業に使用することが可能である効果がある。
【００２８】
また、本発明は、請求項１０に記載のように、請求項１乃至９のいずれかに記載の温室等のカーテン開閉制御装置において、一軸からなる計測軸に開位置用と閉位置用の両方のカム部材を設けてなる構成を有することにより、計測軸を一軸にすることができるから、カーテン回転を計測軸に伝達する温室等のカーテン開閉位置制御装置の減速機構を簡素化できると共に、一軸からなる計測軸に開位置用と閉位置用の両方のカム部材を設けることにより、カーテン開閉用スイッチ機構も簡素化することができる効果がある。
【００２９】
また、本発明は、請求項１１に記載のように、請求項１０に記載の温室等のカーテン開閉制御装置において、開位置用と閉位置用の両方のカム部を有するカム部材を設けてなる構成を有することにより、一個のカム部材に開位置用と閉位置用の両方のカム部を設けて、カム部材を簡素化することができると共に、計測軸に対する開位置用と閉位置用のカム部の位置調整をいずれか一方のみに簡素化することができる効果がある。
【００３０】
また、本発明は、請求項１２に記載のように、請求項１乃至１１のいずれかに記載の温室等のカーテン開閉制御装置において、開位置又は閉位置に固定したカム部材のカム部に対し、カーテン停止スイッチのスイッチ端子をスイッチの作動を継続したまま移動調整し、スイッチの作動が停止した直後の位置でカーテン停止スイッチを固定フレームに固定してなる構成を有することにより、例えば、開位置設定用のカム部材のカム部に対して、開位置設定用のカーテン停止スイッチを計測軸の閉回転方向側からカム部に当接させて移動するとスイッチが作動するが、そのまま閉回転方向に向かって回転移動調整を継続すると、カム部から外れる瞬間にそれまで継続していたスイッチの作動が停止するから、その位置でカーテン停止スイッチを固定フレームに固定して設定を完了させると、カーテンを一度閉方向に戻してから再度開方向に回転するときには、スイッチ端子がカム部に当接した直後にスイッチが作動し、カーテンは開位置に正確に停止するように設定されたことになる効果がある。
【発明を実施するための最良の形態】
【００３１】
以下に図示する実施例に基づいて本発明の実施の形態を説明する。
図１又は図２において、１はカーテン開閉ワイヤで、温室２０内の一方の壁面２１付近の骨組２２に設けた軸受部材１２の軸受１１により軸受されたカーテン駆動軸１０に固定した駆動ドラム５と、温室２０内の他方の壁面２３に固定した滑車２との間に、一方の壁面２１に設けた中継滑車３、６、温室２０の支柱２４に設けた中間滑車４，４を介してほぼ平行に２本に分かれて無端環状に巻掛けてあり、図１において、駆動ドラム５が矢票Ｃ方向に回転すると、一方のワイヤ１は矢票Ａ方向に、他方のワイヤ１はその逆の矢票Ｂ方向に移動することとなり、逆に、駆動ドラム５が反矢票Ｃ方向に回転すると、一方のワイヤ１は反矢票Ａ方向に、他方のワイヤ１はその逆の反矢票Ｂ方向に移動することとなる。
【００３２】
カーテン開閉ワイヤ１には直行して、カーテン開閉端部材７，８，９，１３が、それぞれ上下に分けてクリップ１４により固定してあり、図示の実施例の場合、一方の壁面２１側を固定した下側カーテン１５の開閉端部を下側のカーテン開閉端部材７と一体に連結し、支柱２４側を固定した上側カーテン１６の開閉端部を上側のカーテン開閉端部材８と一体に連結し、同様に、他方の壁面２３側を固定した上側カーテン１７の開閉端部を上側のカーテン開閉端部材１３と一体に連結し、支柱２４側を固定した下側カーテン１８の開閉端部を下側のカーテン開閉端部材９と一体に連結してある。
【００３３】
なお、図２に記載のように、カーテン１５〜１８の上下側には、カーテン開閉方向に沿ってカーテン押さえワイヤ１９が張設してあり、カーテン開閉端部材７，８，９，１３に固定したクリップ１４から押さえリング４９をカーテン押さえワイヤ１９に掛け渡して、それぞれのカーテン１５〜１８を、風等で吹きあがらないように、カーテン開閉端部材７，８，９，１３と一体的に開閉することができるように構成してある。
【００３４】
従って、図１又は図２において、駆動ドラム５が矢票Ｃ方向に回転すると、一方のワイヤ１は矢票Ａ方向に、他方のワイヤ１はその逆の矢票Ｂ方向に移動するのに伴って、カーテン１５と１６、カーテン１７と１８は互いに接近して閉じ位置に向かって移動し、逆に、駆動ドラム５が反矢票Ｃ方向に回転すると、一方のワイヤ１は反矢票Ａ方向に、他方のワイヤ１はその逆の反矢票Ｂ方向に移動することとなり、カーテン１５と１６、カーテン１７と１８は互いに離反して開き位置に向かって移動することとなる。
【００３５】
なお、図１に示した上側のカーテン開閉ワイヤ１と下側のカーテン開閉ワイヤ１とは、説明の便宜上、理解しやすいように、上下に分けて、上側のカーテン開閉ワイヤ１の上側に上側のカーテン１６，１７を設置し、下側のカーテン開閉ワイヤ１の下側に下側のカーテン１５，１８を設置して、上側と下側のカーテン１６，１５及び１７，１８が互いに接近して閉鎖し、遠ざかって開放するように示してあるが、図２から明らかなように、中継滑車３，６及び中間滑車４，４を同一高さに設けることにより、それぞれ上側、下側と称していたカーテン開閉ワイヤ１は同一高さで平行し、互いに反対方向に移動することにより開閉するから、例えば、図２において、下側のカーテン１５を上側のカーテン１６と同様にカーテン駆動ワイヤ１の上側に配置して、クリップ１４の押さえリング４９も上側のカーテン押さえワイヤ１９に係合させて、カーテン開閉端部材７，８が同一高さで閉位置に密着してカーテン１５，１６を閉じるように構成することができることは明らかである。
【００３６】
図３に示すカーテン開閉位置制御装置３０において、２５は、カーテン駆動モータの駆動軸２７に設けたウオーム２８によって減速回転するウオーム歯車２６により回転する中間軸である。
カーテン開閉位置制御装置３０には中間軸２５と平行に計測軸２９が回転自在に設けてあり、両者は減速歯車列３１，３２，３３，３４からなる減速機構３５によって連結されており、カーテンが開位置と閉位置を移動する間に、３６０&deg;以下、例えば２７０&deg;程度回転するように構成してある。実施例の減速機構３５において、小歯車３１は中間軸２５に一体に設けてあると共に、大歯車３４は計測軸２９に一体に設けてあり、その間に大歯車３２と小歯車３３とからなる連動減速歯車が設けてあり、減速比を、例えば、２５：１又は３０：１のように適宜に設定してある。
【００３７】
計測軸２９には、図６に示すように、開位置設定用の凸状のカム部３８を有するカム部材３６と、閉位置設定用の凸状のカム部３９を有するカム部材３７が、図３に示すように、カーテン開閉位置に合致するようにそれぞれ止めネジ４５，４６によって角度調整可能に固定してある。
図６に示すように、開位置用のカム部材３６には、スイッチ端子４２が凸状のカム部３８に圧接して開位置停止用のカーテン停止スイッチとしてのマイクロスイッチ４１を遮断するようにばね弾力を伴って設けてあり、閉位置用のカム部材３７には、スイッチ端子４４が凸状のカム部３９に圧接して開位置用のカーテン停止スイッチとしてのマイクロスイッチ４３を遮断するようにばね弾力を伴って設けてある。
【００３８】
実施例の場合、図６において、開位置設定用のマイクロスイッチ４１では、スイッチ端子４２は、板ばね４２ａのばね弾力によりカム部材３６に圧接し、カム部３８により突出弾力を付与したスイッチ突起４１ａを押圧してスイッチ４１を作動させると共に、同様に、閉位置設定用のマイクロスイッチ４３では、スイッチ端子４４は、板ばね４４ａのばね弾力によりカム部材３７に圧接し、カム部３９により突出弾力を付与したスイッチ突起４３ａを押圧してスイッチ４３を作動させるように構成してある。
【００３９】
上記の実施例の構成によれば、図６に記載のように、中間軸２５と計測軸２９との間の減速機構３５に、歯車の噛み合わせの隙間や加工上のガタ等が介在している場合、計測軸２９のカム部材３６又は３７のカム部３８又は３９にマイクロスイッチ４１又は４３のスイッチ端子４２又は４４がばね弾力を伴って当接するとき、マイクロスイッチはそのばね弾力によって、カム部材の回転を阻止しようとし、中間軸２５と計測軸２９との間の減速機構３５に存在するガタ等を吸収して中間軸２５の回転力が計測軸２９に有効に伝達されるまでカム部を停止させていることとなる。
【００４０】
図７は、上記実施例におけるカーテン駆動モーターの電源回路の原理的な説明図で、５１はカーテン駆動軸１０の閉方向回転時の駆動モーターコイルを示し、５２は開方向回転時の駆動モーターコイルを便宜的に示し、開閉切り換えスイッチ５０により開方向又は閉方向に切り換えて、便宜的に駆動モーターコイル５２の駆動する開方向においては、図６の説明図に記載のように、計測軸２９に設けた開位置用カーテン停止スイッチとしてのマイクロスイッチ４１が、開位置設定用のカム部材３６の凸状のカム部３８にスイッチ端子４２が当接して開方向駆動回路を遮断することによって駆動モーターコイル５２への電源の供給を遮断してカーテンを開位置に停止することができる。
【００４１】
逆に、開閉切り換えスイッチ５０の便宜的に駆動モーターコイル５１の駆動する閉方向においては、図５に記載のように、計測軸２９に設けた閉位置用カーテン停止スイッチとしてのマイクロスイッチ４３が、閉位置設定用のカム部材３７の凸状のカム部３９にスイッチ端子４４が当接して閉方向駆動回路を遮断することによって駆動モーターコイル５１への電源の供給を遮断してカーテンを閉位置に停止することができる。
【００４２】
また、図７において、５３はカーテン停止スイッチ４１，４３のＯＮ／ＯＦＦ切り換え検出用のモニター回路で、カーテンの開閉停止位置設定のためのカーテン停止スイッチ４１，４３のスイッチ端子４２，４４とカム部材３６，３７のカム部３８，３９との接触により、例えば、それまで閉成していた開方向のカーテン停止スイッチ４１が作動してカーテン駆動モーターコイル５２が回転駆動を停止した状態に切り換わると、モニター回路５３のスイッチ５４は同時にＯＮ状態なり、赤色ダイオード等からなるモニターランプ５５が点灯するように構成してあると共に、同様に、閉方向のカーテン停止スイッチ４３が閉成していた状態から図７のように切り換わり作動し、カーテン駆動モーター５１が逆回転駆動を停止する状態のとき、モニター回路５３のスイッチ５６も同時にＯＮ状態になり、青色ダイオード等からなるモニターランプ５７が点灯するように構成してある。５８はモニター回路用の電源電池である。
【００４３】
上記の構成において、本発明は、前記カーテン停止スイッチ４１，４３をそれぞれカム部材３６，３７の周囲に確実に位置決め調整することができる温室等のカーテン開閉位置制御装置を提供するものである。
本発明装置によれば、従来、丸くて細い計測軸２９にカム部材３６，３７を微細に回転位置決め調整し、そのカム部３８，３９をスイッチ停止作動位置にくるように、止めネジ４５，４６により何度も固定・固定解除を繰り返して固定し設定していたのに対して、計測軸２９に予め固定したカム部材３８，３９に対してその周囲においてカーテン停止スイッチ４１，４３を位置決め調整可能に設けてなるから、計測軸２９とカム部材３６，３７との間に位置決めのための調整作業が不要になり、それに伴う固定作業がなくなり、且つ、カム部材の固定に緩みが生じる恐れがなくなり、計測軸２９に固定したカム部材３６，３７の周囲の広い設定範囲で正確、容易、且つ迅速にカーテン停止スイッチ４１，４３を位置決め調整することができる。
【００４４】
図４、図５、図８乃至図１１、図１２に示す実施例の場合、カーテン停止スイッチ４１，４３は、それぞれ計測軸２９を中心に位置決め調整可能に設けたスイッチ取付板４７，４８に取り付けてあり、スイッチ取付板４７，４８はそれぞれ本発明装置３０の固定フレーム５９，６０に対して固定操作部材により位置決め調整して固定することができるように設けてある。
即ち、スイッチ取付板４７，４８には、それぞれ操作片部６１，６２が突設してあり、その取付孔６３，６４にはネジ挿通孔６９，７０付頭部を有する案内ボルト６５，６６が設けてあり、案内ボルト６５，６６は、固定フレーム５９，６０に操作片部６１，６２を圧着して固定することができるように、固定フレーム５９，６０に設けたガイド孔４０を貫通し、貫通したボルトネジ部に固定ナット６７，６８が螺合しており、案内ボルト６５，６６と固定ナット６７，６８が本発明に係るボルトナット式の固定操作部材８０を構成している。なお、ガイド孔４０は計測軸２９を中心に円弧状に設けてある。図５において、２９ａは計測軸２９の軸心を示す。
【００４５】
また、図５、図８において、開位置決定用のマイクロスイッチ４１は取付ネジ７９，８１によりスイッチ取付板４７に固定してあり、取付ねじ７９、８１の回転域に沿って固定フレーム５９にガイド孔８２，８３が設けてある。
同様に、図９に記載のように、閉位置決定用のマイクロスイッチ４３は取付ネジ８４，８５によりスイッチ取付板４８に固定してあり、取付ねじ８４、８５の回転域に沿って固定フレーム６０にガイド孔８６，８７が設けてある。
【００４６】
また、案内ボルト６５，６６のネジ挿通孔６９，７０には、固定フレーム５９，６０に設けた調整基準枠７３，７４の軸受孔を挿通してからガイド孔４０の円弧の接線方向に沿って設けた位置決め調整ネジ７１，７２が螺合しており、調整ネジ７１，７２の周囲にはネジ挿通孔６９，７０付頭部と調整基準枠７３，７４との間に拡張弾力を付与したコイルスプリングからなるバネ部材７５，７６が設けてあり、調整ネジ７１，７２の回転操作に伴って移動する固定操作部材８０と固定フレーム５９，６０との間の緩みを除去するように構成してある。調整ねじ７１，７２のピッチは小さいほど精密な位置決め調整が行われると共に、バネ部材７５，７６のばね弾力の強さは、少なくともマイクロスイッチ４１，４３の板ばね４２ａ，４４ａのばね弾力に抗してスイッチ取付板４７，４８をカム部３８，３９に追随して回転操作可能な強さである。７７，７８はそれぞれ調整ネジ７１，７２の回転操作部である。
【００４７】
図４に記載の実施例の場合、調整基準枠７３，７４、調整ねじ７１，７２、案内ボルト６５，６６等は固定フレーム５９，６０の内側に位置して設けてあるのに対し、図１２の実施例の場合は、それらは固定フレーム５９，６０の外側に位置して設けてあるから、図１２から明らかなように、固定フレーム５９，６０の内側に設けたカーテン停止用のマイクロスイッチ４１，４３のスイッチ端子４２，４４とカム部材３６，３７のカム部３８，３９との接触状態を容易に視認することができることとなる。
【００４８】
上記実施例の構成において、図８又は図１０に記載の実施例において、先ず、カーテンの開き位置を設定するには、開き位置で停止している計測軸２９の周囲においてカム部材３６を矢標とは反対の閉じ回転方向に回転して、図１０でスイッチ端子４２を破線で示したように、カム部３８を開き位置設定用のカーテン停止スイッチ４１のばね弾力を付与したスイッチ端子４２に当接させ、その位置で取付ネジ４５を締め付けてカム部材３６を計測軸２９に一体に固定する。
【００４９】
次いで、調整ネジ７１を開方向に回転してカーテン停止スイッチ４１を矢標で示す開方向に回転調整すると、スイッチ端子４２がカム部３８に当接してＯＮ作動し、図７のモニター回路５３のスイッチ端子５４が接続してモニターランプ５５が点灯して開方向の駆動モーターコイル５２の供電が遮断される状態になり、更に、調整ネジ７１の開方向への回転を継続しスイッチ端子４２がカム部３８を乗り越えて図８又は図１０で実線で示す位置まで回転すると、カーテン停止スイッチ４１がＯＦＦ作動し、図７のモニター回路５３のスイッチ端子５４が図示のように遮断して接続していたモニターランプ５５が消灯して開方向の駆動モーターコイル５２の供電が再会される状態になるから、この消灯した瞬間に調整ネジ７１による調整を停止し、案内ボルト６５に固定ナット６７を締め付けてスイッチ取付板４７の操作片部６１を固定フレーム５９に固定して開位置の設定作業は完了する。
【００５０】
即ち、駆動モーターの開き方向駆動により、カーテンが閉じた状態から開き方向に回転してきて設定した開き位置に来たとき、設定位置にあるカーテン停止スイッチ４１のスイッチ端子４２に、計測軸２９と共にカム部材３６が矢標方向に回転してきてそのカム部３８が当接した図８又はず１０の実線の位置で、カーテン停止スイッチ４１が遮断して駆動モーターへの供電が断たれてカーテンが設定した開き位置に停止することとなる。
【００５１】
図１１は、カム部３８が凹状のカム部材３６の場合であるが、凸状カムの場合と同様に、開位置で計測軸２９に固定したカム部材３６に対してカーテン停止スイッチ４１を矢標の開方向に回転して、破線のスイッチＯＮ作動位置から実線のＯＦＦ作動位置までスイッチ取付板４７を回動し、図７のモニターランプ５５が消灯した実線位置でスイッチ取付板４７を固定することによって、開き位置の設定が完了する。
【００５２】
また、カーテンの閉じ位置の設定作業では、調整ネジ７２を閉方向に回転してカーテン停止スイッチ４３を図９で矢標で示す閉じ方向に回転調整すると、スイッチ端子４４がカム部３９に当接してＯＮ作動し、図７のモニター回路５３のスイッチ端子５６が接続してモニターランプ５７が点灯して閉方向の駆動モーターコイル５１の供電が遮断される状態になり、更に、調整ネジ７２の閉方向への回転を継続しスイッチ端子４４がカム部３９を乗り越えて図９で示す位置まで回転すると、カーテン停止スイッチ４３がＯＦＦ作動し、図７のモニター回路５３のスイッチ端子５６が遮断し、図７において接続していたモニターランプ５７が消灯して閉方向の駆動モーターコイル５１の供電が再会される状態になるから、この消灯した瞬間に調整ネジ７２による調整を停止し、案内ボルト６６に固定ナット６８を締め付けてスイッチ取付板４８の操作片部６２を固定フレーム６０に固定して設定作業は完了する。
【００５３】
即ち、駆動モーターの閉じ方向駆動により、カーテンが開いた状態から閉じ方向に回転してきて設定した閉じ位置に来たとき、設定位置にあるカーテン停止スイッチ４３のスイッチ端子４４に、計測軸２９と共にカム部材３７が矢標方向に回転してきてそのカム部３９が当接した図５の位置で、カーテン停止スイッチ４３が遮断して駆動モーターへの供電が断たれてカーテンが設定した閉じ位置に停止することとなる。
【００５４】
このように、本発明によれば、例えば、開位置設定用のカム部材３６のカム部３８に対して、開位置設定用のカーテン停止スイッチ４１を計測軸２９の閉回転方向側からカム部に当接させて移動するとスイッチが作動するが、そのまま閉回転方向に向かって回転移動調整を継続すると、カム部から外れる瞬間にそれまで継続していたスイッチの作動が停止するから、その位置でカーテン停止スイッチを固定フレームに固定して設定を完了させると、カーテンを一度閉方向に戻してから再度開方向に回転するときには、スイッチ端子がカム部に当接した直後にスイッチが作動し、カーテンは開位置に正確に停止するように設定されたことになる。
閉位置設定の場合も同様である。
【図面の簡単な説明】
【００５５】
【図１】本発明に係る温室等のカーテン開閉装置の一実施例を示す説明図。
【図２】本発明に係る温室等のカーテン開閉装置の一実施例の要部を示す斜面図。
【図３】本発明に係る温室等のカーテン開閉位置制御装置の一実施例の要部の概略平面図。
【図４】その要部の一部切欠平面図。
【図５】その要部の分解斜視図。
【図６】図４の実施例の要部の概略説明図。
【図７】図４の実施例のモーター電源回路の原理説明図。
【図８】図４の実施例の要部の概略説明図。
【図９】図４の実施例の要部の概略説明図。
【図１０】図４の実施例の要部の概略説明図。
【図１１】図４の実施例の要部の概略説明図。
【図１２】他の実施例の一部切欠平面図。
【符号の説明】
【００５６】
１      カーテン開閉ワイヤ
２      滑車
３      中間滑車
４      中継滑車
５      カーテン駆動ドラム
６      中継滑車
７      カーテン開閉端部材
８      カーテン開閉端部材
９      カーテン開閉端部材
１０    カーテン駆動軸
１１    軸受
１２    軸受部材
１３    カーテン開閉端部材
１４    クリップ
１５    カーテン
１６    カーテン
１７    カーテン
１８    カーテン
１９    カーテン押さえワイヤ
２０    温室
【００５７】
２１    壁面
２２    骨組
２３    壁面
２４    支柱
２５    中間軸
２６    ウオーム歯車
２７    駆動軸
２８    ウオーム
２９    計測軸
３０    装置本体
３１    小歯車
３２    大歯車
３３    小歯車
３４    大歯車
３５    減速機構
３６    カム部材
３７    カム部材
３８    カム部
３９    カム部
４０  ガイド孔
【００５８】
４１    マイクロスイッチ
４２    スイッチ端子
４３    マイクロスイッチ
４４    スイッチ端子
４５  止めネジ
４６  止めネジ
４７，４８  スイッチ取付板
４９    押さえリング
５０    開閉切り換えスイッチ
５１    閉方向駆動モーターコイル
５２    開方向駆動モーターコイル
５３  モニター回路
５４  モニタースイッチ
５５  モニターランプ
５６  モニタースイッチ
５７  モニターランプ
５８  電源電池
５９，６０  固定フレーム
６１，６２  操作片部
６３，６４  取付孔
６５，６６  案内ボルト
６７，６８  固定ナット
６９，７０  ネジ挿通孔
７１，７２  位置決め調整ネジ
７３，７４  調整基準枠
７５，７６  バネ部材
７７，７８  回転操作部
７９  取付ねじ
８０  固定操作部材
８１  取付ねじ
８２，８３  ガイド孔
８４，８５  取付ねじ
８６，８７  ガイド孔
【図１】
2005168415.tif 000003
【図２】
2005168415.tif 000004
【図３】
2005168415.tif 000005
【図４】
2005168415.tif 000006
【図５】
2005168415.tif 000007
【図６】
2005168415.tif 000008
【図７】
2005168415.tif 000009
【図８】
2005168415.tif 000010
【図９】
2005168415.tif 000011
【図１０】
2005168415.tif 000012
【図１１】
2005168415.tif 000013
【図１２】
2005168415.tif 000014